(57)【要約】【課題】円管状レンズ鏡筒への装着によるレンズ装置の光学特性への影響を大幅に軽減するとともに、装着に要する操作力を低く抑えて良好な操作性を実現する光学アクセサリ取付装置および光学アクセサリを提供すること。【解決手段】レンズ鏡筒の外周部に装着される光学アクセサリ取付装置および光学アクセサリにおいて、固定筒と固定筒の中心軸周りに回動可能な操作部材と、前記固定筒または前記操作部材の内周部に当接する第一の弾性部材と第二の弾性部材を備え、前記操作部材を回動することによって、前記第一の弾性部材は前記レンズ鏡筒の外周部略全周を縮径方向に押圧し、前記第二の弾性部材は前記レンズ鏡筒外周の係合溝に円周上の一部で係合することを特徴とする構成とした。【選択図】  図１
2013156604.tif 000002
【特許請求の範囲】
【請求項１】
レンズ鏡筒の外周部に装着される光学アクセサリ取付装置において、光学アクセサリが連結される固定筒と、前記固定筒の中心軸周りに回動可能な操作部材と、前記固定筒または前記操作部材の内周部に当接する第一の弾性部材と第二の弾性部材を備え、前記操作部材を回動することによって、前記第一の弾性部材は前記レンズ鏡筒の外周部全周を縮径方向に押圧し、前記第二の弾性部材は前記レンズ鏡筒外周の係合溝に円周上の一部で係合することを特徴とする光学アクセサリ取付装置。
【請求項２】
前記第一の弾性部材に当接する前記固定筒または前記操作部材の当接面と、第一の弾性部材の当接面の少なくともいずれか一方に、中心軸に対する傾斜面が形成されていることを特徴とする請求項１に記載の光学アクセサリ取付装置。
【請求項３】
前記第二の弾性部材に当接する前記固定筒または前記操作部材の当接面と、第二の弾性部材の当接面の少なくともいずれか一方に、中心軸に対する傾斜面が形成されていることを特徴とする請求項１又は請求項２に記載の光学アクセサリ取付装置。
【請求項４】
前記固定筒と前記第一の弾性部材が同一部材で構成されることを特徴とする請求項１乃至請求項３の何れか１項に記載の光学アクセサリ取付装置。
【請求項５】
レンズ鏡筒の外周部に装着される光学アクセサリにおいて、光学素子を保持するアクセサリ鏡筒と、前記アクセサリ鏡筒の中心軸周りに回動可能な操作部材と、前記アクセサリ鏡筒または前記操作部材の内周部に当接する第一の弾性部材と第二の弾性部材を備え、前記操作部材を回動することによって、前記第一の弾性部材は前記レンズ鏡筒の外周部全周を縮径方向に押圧し、前記第二の弾性部材は前記レンズ鏡筒外周の係合溝に円周上の一部で係合することを特徴とする光学アクセサリ。
【請求項６】
前記第一の弾性部材に当接する前記アクセサリ鏡筒または前記操作部材の当接面と、第一の弾性部材の当接面の少なくともいずれか一方に、中心軸に対する傾斜面が形成されていることを特徴とする請求項５に記載の光学アクセサリ。
【請求項７】
前記第二の弾性部材に当接する前記アクセサリ鏡筒または前記操作部材の当接面と、第二の弾性部材の当接面の少なくともいずれか一方に、中心軸に対する傾斜面が形成されていることを特徴とする請求項５又は請求項６に記載の光学アクセサリ。
【請求項８】
前記アクセサリ鏡筒と前記第一の弾性部材が同一部材で構成されることを特徴とする請求項５乃至請求項７の何れか１項に記載の光学アクセサリ。
【発明の詳細な説明】
【技術分野】
【０００１】
本発明は、光学アクセサリ取付装置および光学アクセサリに関し、特にレンズ鏡筒の外周部に装着される光学アクセサリ取付装置および光学アクセサリに関するものである。
【背景技術】
【０００２】
従来より、バヨネット構造などの複雑な構造を持たず、単純な円筒状のレンズ鏡筒の外周部に装着されるワイドコンバーター、テレサイドコンバーター等の光学アクセサリがある。または、レンズ鏡筒への取付構造を持たない光学アクセサリをレンズ鏡筒に装着するための光学アクセサリ取付装置が知られている。
【０００３】
これら光学アクセサリおよび光学アクセサリ取付装置には、簡便な操作でレンズ鏡筒に固定されるとともに、レンズ鏡筒に対して容易に光軸まわりに回転しないことと、レンズ鏡筒から脱落しないことが機能として求められている。
【０００４】
例えば、特許文献１では、基端部に径方向外側から取付ビスがねじ込まれ、取付ビスを締め付けることにより取付ビス下端に設けられた緩衝材がレンズ鏡筒の凹溝に嵌入し装着されるレンズフードが開示されている。
【０００５】
また、特許文献2では、内周壁に押出部を有するロック部材を回転させるよって、内周に保持される円管状係合部材の一部である係合片を弾性変形させ、係合片内周壁の突起をレンズ鏡筒外周の係合溝に係合させて装着されるカメラ付属装置が開示されている。
【先行技術文献】
【特許文献】
【０００６】
【特許文献１】特開平９−２１１３０３号公報
【特許文献２】特開２００６−０３０７５０号公報
【発明の概要】
【発明が解決しようとする課題】
【０００７】
しかしながら、上述の特許文献に開示された従来技術では、円周方向の限られた一部のみでレンズ鏡筒外周部を押圧して光学アクセサリおよび光学アクセサリ取付装置を固定する。この結果、局所的な押圧力による変形でレンズ鏡筒の真円度が悪化し、光学特性が劣化すなど使用上の悪影響を及ぼすことがあった。
【０００８】
さらに、レンズ鏡筒の真円度悪化を低減するために、従来技術を用いて押圧部をレンズ鏡筒外周部の約全周としようとすると、特許文献１に開示の技術では構造および装着操作が極めて複雑となる。また、特許文献２の技術では係合溝に係合させるために必要な係合片の弾性変形量が大きいため、部材の機械的強度を確保すると装着に要する操作力が過大になるという問題があった。
【０００９】
そこで、本発明の目的は、円管状レンズ鏡筒への装着によるレンズ装置の光学特性への影響を大幅に軽減するとともに、装着に要する操作力を低く抑えて良好な操作性を実現する光学アクセサリ取付装置および光学アクセサリを提供することである。
【課題を解決するための手段】
【００１０】
上記目的を達成するために、本発明の光学アクセサリ取付装置は、レンズ鏡筒の外周部に装着される光学アクセサリ取付装置であって、光学アクセサリが連結される固定筒と、前記固定筒の中心軸周りに回動可能な操作部材と、前記固定筒または前記操作部材の内周部に当接する第一の弾性部材と第二の弾性部材を備え、前記操作部材を回動することによって、前記第一の弾性部材は前記レンズ鏡筒の外周部略全周を縮径方向に押圧し、前記第二の弾性部材は前記レンズ鏡筒外周の係合溝に円周上の一部で係合することを特徴とする。
【００１１】
また、本発明の光学アクセサリは、レンズ鏡筒の外周部に装着される光学アクセサリであって、光学素子を保持するアクセサリ鏡筒と、前記アクセサリ鏡筒の中心軸周りに回動可能な操作部材と、前記アクセサリ鏡筒または前記操作部材の内周部に当接する第一の弾性部材と第二の弾性部材を備え、前記操作部材を回動することによって、前記第一の弾性部材は前記レンズ鏡筒の外周部略全周を縮径方向に押圧し、前記第二の弾性部材は前記レンズ鏡筒外周の係合溝に円周上の一部で係合することを特徴とする。
【発明の効果】
【００１２】
本発明によれば、円管状レンズ鏡筒への装着によるレンズ装置の光学特性への影響を大幅に軽減するとともに、装着に要する操作力を低く抑えて良好な操作性を実現する光学アクセサリ取付装置および光学アクセサリを提供することが出来る。
【図面の簡単な説明】
【００１３】
【図１】実施例１の光学アクセサリ取付装置の側面断面図
【図２】図１の要部詳細断面図
【図３】実施例１の光学アクセサリ取付装置の分解斜視図
【図４】実施例２の光学アクセサリ取付装置の側面断面図
【図５】図４の要部詳細断面図
【図６】実施例３の光学アクセサリの側面断面図
【図７】図６の要部詳細断面図
【発明を実施するための形態】
【００１４】
以下に、本発明の好ましい実施の形態を、図１〜図７に図示の実施例に基づいて詳細に説明する。
【００１５】
［実施例１］
図１は本発明が適用される光学アクセサリ取付装置の第１の実施形態における、装着時の側面断面図である。また、図２は光学アクセサリ取付装置の要部詳細断面図である。図中左方が被写体側であり、光学アクセサリ取付装置１が装着されるレンズ装置２は被写体側先端部のみ図示している。
【００１６】
レンズ装置２の先端部のレンズ鏡筒３は外周部に係合溝３ａを有している。なお、レンズ装置２は図中右方にて図示しない撮像装置に接続されている。
【００１７】
光学アクセサリ取付装置１の固定筒としてのアダプタ本体４には、被写体側内径部にネジ部４ａが形成されている。このネジ部４ａはワイドコンバーター、テレサイドコンバーター等の光学アクセサリを結合するためのものであり、図示しないこれら光学アクセサリの外周部にも同様なネジ部が形成されている。両者を螺合させることにより、光学アクセサリをアダプタ本体４に結合することが出来る。アダプタ本体４の最内径部にはレンズ鏡筒３を挿通する嵌合部が設けられている。また、アダプタ本体４は撮像装置側内径部にもネジ部４ｂが形成されており、操作部材である操作リング５が螺合している。
【００１８】
操作リング５のネジ部５ａには係止溝５ｂが設けられ、この係止溝５ｂにはアダプタ本体４に固定されネジ部内径側に突出する図１に示すストッパピン６が挿設される。この係止溝５ｂとストッパピン６により、ネジ部４ｂ，５ａは噛み合いが外れないように構成される。操作リング５の内周部は中心軸に対して傾きを持った当接斜面５ｃ，５ｄと凹溝５ｅを備え、外周部の円周上一箇所には操作レバー７が固定されている。
【００１９】
操作リング５の内周部には第一の弾性部材としての押圧リング８と、第二の弾性部材である抜け止めストッパー９の２つがそれぞれ当接する。ここで、光学アクセサリ取付装置１の分解斜視図を図３に示す。
【００２０】
図示のように、押圧リング８は最内径部にレンズ鏡筒３を挿通する嵌合部を持った略円環状の形状であり、光軸方向に切り込まれた多数のスリット８ａが放射状に配設されている。また、押圧リング８の外周部には操作リング５内周部の前記当接斜面５ｃ，５ｄと略等しい傾きを持った当接斜面８ｂ，８ｃが形成されている。
【００２１】
一方、略円弧状の抜け止めストッパー９は、押圧リング８内周部の嵌合溝８ｄに嵌入し一端で図１に示すビス１０により押圧リング８に固定されている。他方の端部外周部には、操作リング５内周部の前記凹溝５ｅの端部に当接する当接斜面９ａを備えた突起部９ｂが形成されている。抜け止めストッパー９の突起部９ｂは、押圧リング８の一部に設けられた切欠き穴８ｅにおいて、押圧リング８の当接斜面よりも一部が突出している。また、抜け止めストッパー９の内周部には、光学アクセサリ取付装置１をレンズ装置２へ装着した際の前記係合溝３ａと相対する位置に係合凸部９ｃが設けられている。なお、この係合凸部９ｃはアダプタ本体４の最内径および押圧リング８の最内径よりも大きな半径で形成されている。
【００２２】
このように構成された本実施例の光学アクセサリ取付装置１の、レンズ装置２への取付方法について以下に説明する。
【００２３】
まず、光学アクセサリ取付装置１をレンズ装置２の被写体側から嵌挿していく。このとき、アダプタ本体４と操作リング５との間のネジ部４ｂ，５ａは図２（ａ）のように緩んだ状態であり、操作リング５と押圧リング８との当接面には隙間が生じている。また、抜け止めストッパー９の突起部９ｂの一部が操作リング５内周部の凹溝５ｅ内に退避し、抜け止めストッパー９の係合凸部９ｃはアダプタ本体４の最内径および押圧リング５の最内径よりも径方向外側に退避している。
【００２４】
次に、光学アクセサリ取付装置１をレンズ鏡筒３の光軸方向当接面３ｂに突き当てた状態でアダプタ本体４を保持し、操作レバー７を掴持して操作リング５を締め付け方向に回転させる。操作リング５を締め付け方向に回転させると、操作リング５はネジ部４ｂ，５ａによって被写体側へ繰出され、操作リング５内周部の凹溝５ｅの端部に当接している抜け止めストッパー９の突起部９ｂの当接斜面９ａは光軸方向に押圧される。抜け止めストッパー９は押圧リング８の嵌合溝８ｄに嵌入し光軸方向に規制されているため、抜け止めストッパー９の円弧部９ｄが光軸に垂直な平面内で弾性変形し、突起部９ｂが当接斜面９ａの傾斜に沿って径方向内側に押出される。
【００２５】
操作リング５と押圧リング８が当接斜面にて当接するまで操作リング５を繰出すと、図２（ｂ）のように抜け止めストッパー９の突起部９ｂ近傍の係合凸部９ｃが押圧リング８の最内径部よりも径方向内側に押出され、レンズ鏡筒３の係合溝３ａに係合する。
【００２６】
図２（ｂ）の状態からさらに操作リング５を締め付け方向に回転させると、押圧リング５の当接斜面５ｃ，５ｄが光軸方向に押圧され、スリットとスリットに挟まれて形成される円周上多数の弾性片８ｆが縮径方向に弾性変形する。各弾性片８ｆは押圧リング８とレンズ鏡筒３との間の嵌合ガタ分だけ微小に変形すると共に、押圧部８ｇでレンズ鏡筒３をそれぞれ径方向外側から押圧する状態となる。この円周上に多数設けられた弾性片８ｆの押止により、光学アクセサリ取付装置１をレンズ装置２へ固定することが出来る。
【００２７】
なお、操作リング５を締め付ける操作力が不足していると、弾性片８ｆの押圧に伴う摩擦力が十分に得られず、外力の付加により光学アクセサリ取付装置１とレンズ装置２との相対移動が発生する。すなわち、レンズ装置２に対して光学アクセサリ取付装置１を光軸まわりに回転させることが可能な状態になりえる。しかし、本実施例の光学アクセサリ取付装置１では、操作リング５が押圧リング８に当接斜面で当接してから操作リング５を強く締め付ける段階において、すでに抜け止めストッパー９の係合凸部９ｃとレンズ鏡筒３の係合溝３ａが係合している。このため、レンズ装置２が傾いた姿勢であっても、締め付け操作力不足により光学アクセサリ取付装置１がレンズ装置２から脱落してしまうことはない。
【００２８】
レンズ装置２へ固定された光学アクセサリ取付装置１を取外す方法について以下に説明する。
【００２９】
光学アクセサリ取付装置１をレンズ装置２から取外す際は、アダプタ本体４を保持し操作レバー７を掴持して操作リング５を取付時と逆方向に回転させる。ネジ部４ｂ，５ａを緩める方向に操作リングを回転させると、押圧リング５の当接斜面５ｃ，５ｄに加えられていた光軸方向の押圧力が解除されるため、縮径方向に弾性変形していた弾性片８ｆが無負荷時の形状に復帰し、レンズ鏡筒３に対する押止力も解除される。
【００３０】
この過程において操作リング５を緩め始めると弾性片８ｆの押圧に伴う摩擦力が低下するが、まだ抜け止めストッパー９の係合凸部９ｃとレンズ鏡筒３の係合溝３ａが係合しているため、レンズ装置２が傾いた姿勢であっても光学アクセサリ取付装置１がレンズ装置２から脱落してしまうことはない。
【００３１】
さらに操作リング５を緩め方向に回転させると、操作リング５は撮像装置側へ繰出され、操作リング５と押圧リング８との当接面には隙間が生じてくる。操作リング５の後退に伴い、突起部９ｂの当接斜面９ａの傾斜に沿って径方向内側に押出されていた抜け止めストッパー９は、円弧部９ｄの弾性により図２（ａ）に示す状態に復帰する。この状態では抜け止めストッパー９の係合凸部９ｃがレンズ鏡筒３の係合溝３ａから退避しているため、光学アクセサリ取付装置１をレンズ装置２から被写体側へ抜き取ることが出来る。
【００３２】
なお、図２（ａ）の状態からさらに操作リング５を緩め方向に回転させると、操作リング５のネジ部５ａに設けられた係止溝５ｂにストッパピン６が当接する。ストッパピン６が当接するとそれ以上操作リング５を緩め方向に回転することができないため、光学アクセサリ取付装置１が誤って分解してしまうことはない。
【００３３】
上記のように、本実施例の光学アクセサリ取付装置は、操作リングを中心軸周りに回転させる簡便な操作により、内径部に嵌挿されるレンズ鏡筒外周部を略全周から中心軸に向かって押圧し、押圧部に生じる十分な摩擦力をもってレンズ装置に装着することが出来る。
【００３４】
本実施例の光学アクセサリ取付装置によれば、レンズ鏡筒に加わる押圧力が略全周でほぼ均等であるため、レンズ鏡筒の真円度を大きく悪化させることがなく、光学アクセサリ取付装置の装着によるレンズ装置の光学特性への影響が大幅に軽減される。
【００３５】
また、装着時に略全周で弾性変形させる光学アクセサリ取付装置内径部の変形量が微小な嵌合ガタ分のみであるため、構成部材に十分な機械的強度を持たせつつ、装置装着に要する操作力を低く抑えて良好な操作性を実現することが出来る。
【００３６】
一方、相対的に大きく弾性変形しレンズ鏡筒外周部の係合溝に係合する係合部が円周上の一部のみであるため、上記の良好な操作性を実現する僅かな操作力で着脱時の脱落を防止することが出来る。
【００３７】
［実施例２］
図４は本発明が適用される光学アクセサリ取付装置の第２の実施形態における、装着時の側面断面図であり、実施例１と同一符号は同じ部材を示している。以下、実施例１と構成が異なる点について説明する。
【００３８】
光学アクセサリ取付装置１１の固定筒としてのアダプタ本体１２の最内径部にはレンズ鏡筒３を挿通する嵌合部が設けられている。また、アダプタ本体１２は撮像装置側外径部に図５（ｂ）に示すネジ部１２ａが形成されており、操作部材である操作リング１３が螺合している。アダプタ本体１２のネジ部１２ａよりもさらに撮像装置側には、光軸方向に切り込まれた多数のスリット１２ｂが放射状に配設され、外周部に中心軸に対して傾きを持った当接斜面１２ｃが形成されている。
【００３９】
操作リング１３の内周部は、アダプタ本体１２外周部の前記当接斜面１２ｃと略等しい傾きを持った当接斜面１３ａと凹溝１３ｂを備え、アダプタ本体１２と抜け止めストッパー９が当接している。
【００４０】
略円弧状の抜け止めストッパー９は、アダプタ本体１２内周部の嵌合溝１２ｅに嵌入し一端で図４に示すビス１０によりアダプタ本体１２に固定されている。
【００４１】
このように構成された本実施例の光学アクセサリ取付装置１１の、レンズ装置２への取付方法について以下に説明する。
【００４２】
まず、光学アクセサリ取付装置１１をレンズ装置２の被写体側から嵌挿していく。このとき、アダプタ本体１２と操作リング１３との間のネジ部１２ａ，１３ｃは図５（ａ）のように緩んだ状態であり、操作リング１３とアダプタ本体１２との当接面には隙間が生じている。このため、抜け止めストッパー９の係合凸部９ｃはアダプタ本体１２の最内径よりも径方向外側に退避している。
【００４３】
次に、光学アクセサリ取付装置１１をレンズ鏡筒３の光軸方向当接面３ｂに突き当てた状態でアダプタ本体１２を保持し、操作リング１３を締め付け方向に回転させる。操作リング１３とアダプタ本体１２が当接斜面にて当接するまで操作リング１３を繰出すと、図５（ｂ）のように抜け止めストッパー９の突起部９ｂ近傍の係合凸部９ｃがレンズ鏡筒３の係合溝３ａに係合する。図５（ｂ）の状態からさらに操作リング１３を締め付け方向に回転させると、アダプタ本体１２の当接斜面１２ｃが光軸方向に押圧され、スリットとスリットに挟まれて形成される円周上多数の弾性片１２ｄが縮径方向に弾性変形する。この円周上に多数設けられた弾性片１２ｄの押止により、光学アクセサリ取付装置１１をレンズ装置２へ固定することが出来る。
【００４４】
光学アクセサリ取付装置を１１レンズ装置２から取外す際は、実施例１と同様にアダプタ本体１２を保持し操作リング１３を取付時と逆方向に回転させる。ネジ部１２ａ，１３ｃを緩める方向に操作リング１３を回転させると、レンズ鏡筒３に対する押止力および抜け止めストッパー９とレンズ鏡筒３との係合を解除することができる。
【００４５】
上記のように、本実施例の光学アクセサリ取付装置は、操作リングを中心軸周りに回転させる簡便な操作により、内径部に嵌挿されるレンズ鏡筒外周部を略全周から中心軸に向かって押圧し、押圧部に生じる十分な摩擦力をもってレンズ装置に装着することが出来る。
【００４６】
本実施例の光学アクセサリ取付装置によれば、レンズ鏡筒に加わる押圧力が略全周でほぼ均等であるため、レンズ鏡筒の真円度を大きく悪化させることがなく、光学アクセサリ取付装置の装着によるレンズ装置の光学特性への影響が大幅に軽減される。
【００４７】
また、装着時に略全周で弾性変形させる光学アクセサリ取付装置内径部の変形量が微小な嵌合ガタ分のみであるため、構成部材に十分な機械的強度を持たせつつ、装置装着に要する操作力を低く抑えて良好な操作性を実現することが出来る。
【００４８】
一方、相対的に大きく弾性変形しレンズ鏡筒外周部の係合溝に係合する係合部が円周上の一部のみであるため、上記の良好な操作性を実現する僅かな操作力で着脱時の脱落を防止することが出来る。
【００４９】
さらに、本実施例の光学アクセサリ取付装置は、アダプタ本体に弾性片を形成することによって少ない部品点数で構成することができる。
［実施例３］
図６は本発明が適用される光学アクセサリの実施形態における、装着時の側面断面図であり、実施例１と同一符号は同じ部材を示している。以下、実施例１と構成が異なる点について説明する。
【００５０】
光学素子１５を保持するアクセサリ鏡筒１６は、最内径部にレンズ鏡筒を挿通する嵌合部が設けられている。また、アクセサリ鏡筒の１６撮像装置側内周部には、中心軸に対して傾きを持った当接斜面１６ａと凹部１６ｄが配設され、第一の弾性部材としての押圧リング１７と、第二の弾性部材である抜け止めストッパー９がそれぞれ当接している。アクセサリ鏡筒１６の撮像装置側外径部にはネジ部１６ｂが形成されており、操作部材である操作リング１８が螺合している。アクセサリ鏡筒のネジ部１６ｂには係止溝１６ｃが設けられ、この係止溝１６ｃには操作リング１８に固定されネジ部内径側に突出するストッパピンが１９挿設される。
【００５１】
操作リング１８は押圧リング１７と光軸方向に当接するフランジ部１８ａを有し、外周部の円周上一箇所には操作レバー７が固定されている。
【００５２】
押圧リング１７は最内径部にレンズ鏡筒３を挿通する嵌合部を持った略円環状の形状であり、光軸方向に切り込まれた多数のスリット１７ａが放射状に配設されている。また、押圧リング１７の外周部にはアクセサリ鏡筒１６内周部の前記当接斜面１６ａと略等しい傾きを持った当接斜面１７ｂが形成されている。
【００５３】
略円弧状の抜け止めストッパー９は、押圧リング１７内周部の嵌合溝１７ｃに嵌入し一端で押圧リング１７に固定されている。
【００５４】
上記のように構成される本実施例の光学アクセサリ１４は、前述の実施例１、実施例２の光学アクセサリ取付装置と同様な操作により、レンズ装置への取付および取外しを行うことが出来る。すなわち、操作リングを中心軸周りに回転させる簡便な操作により、内径部に嵌挿されるレンズ鏡筒外周部を略全周から中心軸に向かって押圧し、押圧部に生じる十分な摩擦力をもってレンズ装置に装着することが出来る。
【００５５】
本実施例の光学アクセサリによれば、レンズ鏡筒に加わる押圧力が略全周でほぼ均等であるため、レンズ鏡筒の真円度を大きく悪化させることがなく、光学アクセサリの装着によるレンズ装置の光学特性への影響が大幅に軽減される。
【００５６】
また、装着時に略全周で弾性変形させる光学アクセサリ内径部の変形量が微小な嵌合ガタ分のみであるため、構成部材に十分な機械的強度を持たせつつ、装置装着に要する操作力を低く抑えて良好な操作性を実現することが出来る。
【００５７】
一方、相対的に大きく弾性変形しレンズ鏡筒外周部の係合溝に係合する係合部が円周上の一部のみであるため、上記の良好な操作性を実現する僅かな操作力で着脱時の脱落を防止することが出来る。
【００５８】
さらに、本実施例の光学アクセサリは、操作リングの操作領域とネジ部およびアクセサリ鏡筒の当接斜面が光軸方向の位置においてに重なる構造であるため、光軸方向にコンパクトな外形状とすることができる。
【００５９】
以上、本発明の好ましい実施形態について説明したが、本発明はこれらの実施形態に限定されず、その要旨の範囲内で種々の変形及び変更が可能である。
【符号の説明】
【００６０】
１１・・・光学アクセサリ取付装置
３・・・レンズ鏡筒
３ｃ・・・係合溝
４，１２・・・アダプタ本体
５，１３，１８・・・操作リング
８，１７・・・押圧リング
９・・・抜け止めストッパー
１４・・・光学アクセサリ
１６・・・アクセサリ鏡筒
【図１】
2013156604.tif 000003
【図２】
2013156604.tif 000004
【図３】
2013156604.tif 000005
【図４】
2013156604.tif 000006
【図５】
2013156604.tif 000007
【図６】
2013156604.tif 000008
【図７】
2013156604.tif 000009